(57)【要約】【課題】コンジット取付板が不要な空気調和機の室内機を提供する。【解決手段】空気調和機の室内機１は、コンジットが接続される空気調和機の室内機である。この空気調和機の室内機１は、空調部２と、コンジット取付部５とを備えている。空調部２は、空気調和機能を有する。コンジット取付部５は、空調部２の周辺の構成部品である電装品箱４に一体に設けられている。コンジット取付部５には、コンジットの取付け用の取付穴６が形成されている。【選択図】図３
2008032259.tif 000002
【特許請求の範囲】
【請求項１】
コンジットが接続される空気調和機の室内機（１）であって、
空気調和機能を有する空調部（２）と、
前記空調部（２）の周辺の構成部品に一体に設けられ、前記コンジットの取付け用の取付穴（６、１６、２６、３６）が形成されたコンジット取付部（５、１５、２５、３５）と、
を備えている空気調和機の室内機（１）。
【請求項２】
前記構成部品は、前記空調部（２）を支持するフレーム（３）であり、
前記コンジット取付部（１５）は、前記フレーム（３）に一体に設けられている、
請求項１に記載の空気調和機の室内機（１）。
【請求項３】
前記構成部品は、前記空調部（２）と電気的に接続された電装部品を収納する電装品箱（４）であり、
前記コンジット取付部（５）は、前記電装品箱（４）に一体に設けられている、
請求項１に記載の空気調和機の室内機（１）。
【請求項４】
前記構成部品は、前記空調部（２）を収納するケース（７）と壁との間を接続する据付板（８）であり、
前記コンジット取付部（２５）は、前記据付板（８）に一体に設けられている、
請求項１に記載の空気調和機の室内機（１）。
【請求項５】
前記構成部品は、前記空調部（２）を収納するケース（７）であり、
前記コンジット取付部（３５）は、前記ケース（７）に一体に設けられている、
請求項１に記載の空気調和機の室内機（１）。
【発明の詳細な説明】
【技術分野】
【０００１】
本発明は、コンジットが接続される空気調和機の室内機に関する。
【背景技術】
【０００２】
従来より、国や地域によっては、空気調和機の室内機に対して信号用コード等の電線を接続する場合に、絶縁性の高い電線用配管であるコンジットに覆われた電線を使用しなければならない制約がある。このような国や地域で使用するためのコンジットが接続された空気調和装置の室内機として、特許文献１に記載の空気調和機の室内機がある。
【０００３】
このような空気調和機の室内機では、コンジットは、空気調和機の室内機のフレームに取り付けられたコンジット取付板に接続される。コンジット取付板に取り付けられたコンジットの端部からコンジット内部の電線が外部に延びて端子台等に接続される。
【特許文献１】特開２００３−７４９０４号公報
【発明の開示】
【発明が解決しようとする課題】
【０００４】
しかし、特許文献１に記載の空気調和機の室内機では、コンジットを取り付けるためのコンジット取付板を必要とするので、部品点数および製造コストが増加するという問題がある。
【０００５】
また、空気調和機の室内機のケーシング内部にコンジット取付板を収納するスペースを必要とするので、室内機の寸法の小型化を困難にしている。
【０００６】
本発明の課題は、コンジット取付板が不要な空気調和機の室内機を提供することにある。
【課題を解決するための手段】
【０００７】
第１発明の空気調和機の室内機は、コンジットが接続される空気調和機の室内機である。室内機は、空調部と、コンジット取付部とを備えている。空調部は、空気調和機能を有する。コンジット取付部は、空調部の周辺の構成部品に一体に設けられている。コンジット取付部には、コンジットの取付け用の取付穴が形成されている。
【０００８】
ここでは、コンジットの取付け用の取付穴が形成されたコンジット取付部が空調部の周辺の構成部品に一体に設けられているので、従来では別部品となっていたコンジット取付部品が不要になる。
【０００９】
第２発明の空気調和機の室内機は、第１発明の空気調和機の室内機であって、構成部品は、空調部を支持するフレームである。コンジット取付部は、フレームに一体に設けられている。
【００１０】
ここでは、コンジット取付部がフレームに一体に設けられているので、従来では別部品となっていたコンジット取付部品が不要になる。また、コンジットがフレームに直接取り付けられるので、コンジットのぐらつきを防止できる。
【００１１】
第３発明の空気調和機の室内機は、第１発明の空気調和機の室内機であって、構成部品は、電装品箱である。電装品箱は、空調部と電気的に接続された電装部品を収納する。コンジット取付部は、電装品箱に一体に設けられている。
【００１２】
ここでは、コンジット取付部が電装品箱に一体に設けられているので、従来では別部品となっていたコンジット取付部品が不要になる。また、コンジット取付部から外部に出される電線は、短い距離で端子に接続することが可能である。
【００１３】
第４発明の空気調和機の室内機は、第１発明の空気調和機の室内機であって、構成部品は、据付板である。据付板は、空調部を収納するケースと壁との間を接続する。コンジット取付部は、据付板に一体に設けられている。
【００１４】
ここでは、コンジット取付部が据付板に一体に設けられているので、従来では別部品となっていたコンジット取付部品が不要になる。また、コンジットが据付板に直接取り付けられるので、コンジットのぐらつきを防止できる。
【００１５】
第５発明の空気調和機の室内機は、第１発明の空気調和機の室内機であって、構成部品は、空調部を収納するケースである。コンジット取付部は、ケースに一体に設けられている。
【００１６】
ここでは、コンジット取付部がケースに一体に設けられているので、従来では別部品となっていたコンジット取付部品が不要になる。また、コンジット取付部をケース表面の任意の位置に配置することが可能になる。
【発明の効果】
【００１７】
第１発明によれば、従来では別部品となっていたコンジット取付部品が不要になる。
【００１８】
第２発明によれば、従来では別部品となっていたコンジット取付部品が不要になる。また、コンジットがフレームに直接取り付けられるので、コンジットのぐらつきを防止できる。
【００１９】
第３発明によれば、従来では別部品となっていたコンジット取付部品が不要になる。また、コンジット取付部から外部に出される電線は、短い距離で端子に接続することが可能である。
【００２０】
第４発明によれば、従来では別部品となっていたコンジット取付部品が不要になる。また、コンジットが据付板に直接取り付けられるので、コンジットのぐらつきを防止できる。
【００２１】
第５発明によれば、従来では別部品となっていたコンジット取付部品が不要になる。また、コンジット取付部をケース表面の任意の位置に配置することが可能になる。
【発明を実施するための最良の形態】
【００２２】
〔第１実施形態〕
図１に示されるように、空気調和機の室内機１と室外機２１との間には、冷媒配管ＲおよびコンジットＣが接続されている。コンジットＣの内部には、信号線ＥＬ（図４参照）が延びている。なお、図１において、２２は吹出口、２３はフラップである。
【００２３】
室内機１は、図２〜３に示されるように、空調部２と、底フレーム３と、電装品箱４と、コンジット取付部５と、ケーシング７（図１参照）とを備えている。
【００２４】
空調部２は、室内空気の調和（暖房、冷房、除湿、空気清浄など）を行なう空気調和機能を有する部分であり、具体的には室内熱交換器およびクロスフローファン等を有する部分である。
【００２５】
底フレーム３は、空調部２および電装品箱４等を支持するフレームである。
【００２６】
電装品箱４は、空調部２と電気的に接続された電装部品を収納する。
【００２７】
ケーシング７は、空調部２、底フレーム３および電装品箱４の全体を覆う。ケーシング７は、図１に示されるように、上部ケーシング７ａおよび下部ケーシング７ｂを有する。
【００２８】
コンジット取付部５の構成については、以下の項目で詳細に説明する。
【００２９】
＜コンジット取付部５の構成＞
コンジット取付部５は、図２〜４に示されるように、電装品箱４の側面４ａに一体に設けられている。コンジット取付部５には、コンジットＣを取り付けるためのコンジット取付穴６が形成されている。
【００３０】
図４に示されるように、コンジットＣは、室内機１と室外機２１との間を接続する信号線ＥＬを覆うコンジットである。コンジットＣは、信号線ＥＬよりも高い剛性を有しているので、曲げにくい性質を有している。そのため、コンジットＣをコンジット取付部５に固定した状態で、コンジットＣの内部の信号線ＥＬだけ延ばして電装品箱４内部の端子に接続するようにしている。
【００３１】
ここで、コンジットＣをコンジット取付部５に固定するために、図４に示されるように、まず、コンジットＣの中空おねじ部分Ｓがコンジット取付部５のコンジット取付穴６に挿入され、中空おねじ部分Ｓの根元部分から周方向に張り出したフランジＴとナットＮによってコンジット取付部５を挟み込むように、ナットＮが中空おねじ部分Ｓに締め付けられている。
【００３２】
＜第１実施形態の特徴＞
（１）
第１実施形態の空気調和機の室内機１では、空調部２の周辺の構成部品である電装品箱４にコンジット取付部５が一体に設けられ、コンジット取付部５には、コンジットの取付け用の取付穴６が形成されているので、コンジット取付部品が不要になる。これにより、室内機１の部品点数および製造コストを低減することが可能である。また、室内機１の小型化も容易に行うことが可能になる。
【００３３】
（２）
また、第１実施形態では、電装品箱４にコンジット取付部５が一体に設けられているので、コンジット取付部５から外部に出される信号線ＥＬは、短い距離で電装品箱４の内部の端子に接続することが可能である。
【００３４】
＜第１実施形態の変形例＞
第１実施形態の空気調和機の室内機１では、コンジット取付部５が電装品箱４の側面４ａに一体に設けられているが、電装品箱４の上面４ｂまたは下面４ｃに設けられてもよい。
【００３５】
〔第２実施形態〕
第２実施形態では、図５に示されるように、コンジット取付部１５は、室内機１の底フレーム３の下面３ａに一体に設けられている。コンジット取付部１５には、コンジットＣを取り付けるためのコンジット取付穴１６が形成されている。第２実施形態の室内機１のその他の構成については第１実施形態と共通している。
【００３６】
＜第２実施形態の特徴＞
（１）
第２実施形態の空気調和機の室内機１では、空調部２の周辺の構成部品である底フレーム３にコンジット取付部１５が一体に設けられ、コンジット取付部１５には、コンジットの取付け用の取付穴１６が形成されているので、コンジット取付部品が不要になる。これにより、室内機１の部品点数および製造コストを低減することが可能である。また、室内機１の小型化も容易に行うことが可能になる。
【００３７】
（２）
また、第２実施形態では、底フレーム３にコンジット取付部１５が一体に設けられているので、コンジットＣが底フレーム３に直接取り付けられるので、コンジットＣのぐらつきを防止できる。
【００３８】
＜第２実施形態の変形例＞
第２実施形態の空気調和機の室内機１では、コンジット取付部１５が底フレーム３の下面３ａに一体に設けられているが、底フレーム３のその他の面（上面または側面等）、または底フレーム３以外のフレームに設けられてもよい。
【００３９】
〔第３実施形態〕
第３実施形態では、図６〜７に示されるように、室内機１が空調部２を収納するケーシング７と壁Ｗとの間を接続する据付板８をさらに備えており、コンジット取付部２５は、据付板８に一体に設けられている。コンジット取付部２５には、コンジットＣを取り付けるためのコンジット取付穴２６が形成されている。第３実施形態の室内機１のその他の構成については第１実施形態と共通している。
【００４０】
据付板８は、金属板をプレス成形するなどして製造され、冷媒配管８が通る配管挿入穴８ａを有している。コンジット取付部２５は、据付板８の表面に部分的に突出された比較的剛性の高いリブ部分８ｂに一体に設けられている。
【００４１】
＜第３実施形態の特徴＞
（１）
第３実施形態の空気調和機の室内機１では、空調部２の周辺の構成部品である据付板８にコンジット取付部２５が一体に設けられ、コンジット取付部２５には、コンジットの取付け用の取付穴２６が形成されているので、コンジット取付部品が不要になる。これにより、室内機１の部品点数および製造コストを低減することが可能である。また、室内機１の小型化も容易に行うことが可能になる。
【００４２】
（２）
また、第３実施形態では、据付板８にコンジット取付部２５が一体に設けられているので、コンジットＣが据付板８に直接取り付けられるので、コンジットＣのぐらつきを防止できる。
【００４３】
＜第３実施形態の変形例＞
第３実施形態の空気調和機の室内機１では、コンジット取付穴２６が配管挿入穴８ａの上方に位置しているが、その他の部分（例えば、リブ部分８ｂの穴８ｃの位置）に設けられてもよい。
【００４４】
〔第４実施形態〕
第４実施形態では、図８に示されるように、コンジット取付部３５は、ケーシング７に一体に設けられている。コンジット取付部３５には、コンジットＣを取り付けるためのコンジット取付穴３６が形成されている。第４実施形態の室内機１のその他の構成については第１実施形態と共通している。
【００４５】
コンジット取付部３５は、ケーシング７の側面または下面に一体に設けられている。
【００４６】
＜第４実施形態の特徴＞
（１）
第４実施形態の空気調和機の室内機１では、空調部２の周辺の構成部品であるケーシング７にコンジット取付部３５が一体に設けられ、コンジット取付部３５には、コンジットの取付け用の取付穴３６が形成されているので、コンジット取付部品が不要になる。これにより、室内機１の部品点数および製造コストを低減することが可能である。また、室内機１の小型化も容易に行うことが可能になる。
【００４７】
（２）
また、第４実施形態では、ケーシング７にコンジット取付部３５が一体に設けられているので、コンジット取付部３５をケーシング７の表面の任意の位置に配置することが可能になる。
【産業上の利用可能性】
【００４８】
本発明はコンジットが取り付けられる空気調和機の室内機に広く適用することが可能である。
【図面の簡単な説明】
【００４９】
【図１】本発明の第１実施形態に係わる空気調和機の室内機および室外機の配置を示す斜視図。
【図２】図１の室内機のケーシング内部の構造を示す正面図。
【図３】図１の電装品箱の側面のコンジット取付部付近を示す拡大図。
【図４】図３のコンジット取付部の断面図。
【図５】本発明の第２実施形態に係わる室内機の底フレーム下面のコンジット取付部付近を示す拡大図。
【図６】本発明の第３実施形態に係わる室内機の据付板のコンジット取付部付近を示す拡大図。
【図７】図６の据付板の平面図。
【図８】本発明の第４実施形態に係わる室内機のケーシングのコンジット取付部付近を示す拡大図。
【符号の説明】
【００５０】
１  室内機
２  空調部
３  底フレーム
４  電装品箱
５、１５、２５、３５  コンジット取付部
６、１６、２６、３６  コンジット取付穴
７  ケーシング
８  据付板
【図１】
2008032259.tif 000003
【図２】
2008032259.tif 000004
【図３】
2008032259.tif 000005
【図４】
2008032259.tif 000006
【図５】
2008032259.tif 000007
【図６】
2008032259.tif 000008
【図７】
2008032259.tif 000009
【図８】
2008032259.tif 000010